(57)【要約】【課題】ジャッキボルトや調整板などのようなバッファクリアランスを調整するための別個の用品を何ら用いることなく、そのバッファクリアランスの寸法を調整しながら容易に能率よく昇降路のピット部に設置することができるエレベータの緩衝装置を提供する。【解決手段】昇降路１のピット部２に設けられる取付台５と、この取付台５の上に設置される緩衝器本体９とを具備する。取付台５は、下部筒１６と、この下部筒１６に対して上下に伸縮可能に組み付けられた上部筒１５とで構成され、取付台５の高さ寸法をその伸縮により調整し、この調整で緩衝器本体９を上下に変位させてバッファクリアランスＬを施工対象のエレベータに適合する所定の寸法に設定する。【選択図】    図１
2010013279.tif 000002
【特許請求の範囲】
【請求項１】
エレベータの昇降路内で昇降移動する昇降体と、
前記昇降路のピット部に設けられる取付台と、
前記取付台の上に設置され、前記昇降体が規定のレベルより下がり過ぎたときにその昇降体を受け止めてその衝撃を緩和する緩衝器本体と、
を具備し、
前記取付台は、前記緩衝器本体を上下に変位させるための上下寸法の調整が可能であることを特徴とするエレベータの緩衝装置。
【請求項２】
前記取付台は、ねじの螺合により上下に伸縮可能に組み合わされた上部筒と下部筒とを備え、その上部筒と下部筒との伸縮で上下寸法の調整が可能であることを特徴とする請求項１に記載のエレベータの緩衝装置。
【請求項３】
前記取付台は、上下に伸縮可能に組み合わされた上部筒と下部筒とを備え、その上部筒と下部筒のうちの一方の筒の周面に上下に並ぶ複数の貫通孔が形成され、他方の筒の周面に支持棒の貫挿が可能な貫通孔が形成され、前記一方の筒の貫通孔と他方の筒の貫通孔とに渡って前記支持棒を貫挿することで一方の筒を他方の筒で支持し、前記支持棒を貫挿する前記一方の筒の貫挿孔として、いずれか１つの高さ位置の貫挿孔を選ぶことで、前記取付台の上下寸法の調整が可能であることを特徴とする請求項１に記載のエレベータの緩衝装置。
【請求項４】
前記取付台は、筒体と、この筒体内に上下に積み重ねて挿脱可能に収納された複数のブロックとを備え、前記緩衝器本体が前記積み重ねられたブロックで支持され、前記ブロックの数を増減することで、前記取付台の上下寸法の調整が可能であることを特徴とする請求項１に記載のエレベータの緩衝装置。
【請求項５】
前記取付台は、取付台本体と、この取付台本体の上部に、ねじ棒を介して上下動可能に支持された支持プレートとを備え、前記緩衝器本体が前記支持プレートで支持され、前記ねじ棒を介して支持された前記支持プレートを上下に移動することで、前記取付台の上下寸法の調整が可能であることを特徴とする請求項１に記載のエレベータの緩衝装置。
【発明の詳細な説明】
【技術分野】
【０００１】
この発明は、エレベータの安全装置として昇降路の最下部のピット部に設けられ、昇降路内で昇降する昇降体であるかご又はつり合い重りがピット部に衝突しようとするときの衝撃を緩和するために用いられるエレベータの緩衝装置に関する。
【背景技術】
【０００２】
エレベータにおいては、安全装置として、かご又はつり合い重りが昇降路のピット部に衝突することを防止し、かつ規定の加速度でかご又はつり合い重りを停止させるような緩衝装置を設けることが義務付けられている。
【０００３】
図１５には、一般的な緩衝装置の構成を示してあり、昇降路１のピット部２には緩衝器台３が据え付けられ、この緩衝器台３の上に取付座４を介して取付台５が設置されている。取付台５は複数のボルト６を用いて取付座４に締結固定されている。そして、この取付台５の上にボルト７及びナット８を用いて緩衝器本体９が締結固定されている。
【０００４】
昇降路１内には、上下に昇降移動する昇降体（かご又はつり合い重り）１０が緩衝器本体９と対向するように吊り下げられている。また、昇降路１内には昇降体１０の昇降移動をガイドするガイドレール１１が設けられ、これらガイドレール１１の下端部が緩衝器台３の両端部で支持されている。
【０００５】
昇降体１０は、通常時には所定の最下階レベル位置で停止するように制御されるが、何らかの原因でそのレベル位置を超えて下降するような非常時には、その昇降体１０が緩衝器本体９に衝突し、その衝突のエネルギーが緩衝器本体９により吸収され、安全が図られる。
【０００６】
昇降体１０が所定の最下階レベルに位置するときのその昇降体１０と緩衝器本体９との距離つまりバッファクリアランスＬは、エレベータの機種や仕様に応じて所定の寸法に決定される。
【０００７】
緩衝器本体９としては、同種のものが種々の機種や仕様のエレベータに共通して適用される場合が多い。したがって、エレベータを設置する施工の際には、エレベータの機種や仕様に応じて、取付座４と取付台５との間、あるいは取付台５と緩衝器本体９との間に調整板を組み込むことでバッファクリアランスＬの寸法がその施工対象のエレベータの機種や仕様に適合するように管理している。
【０００８】
また、エレベータの設置後には、かご及びつり合い重りを吊り下げているメインロープの初期伸びや経年変化による伸びでバッファクリアランスＬの寸法が変化するため、その場合には昇降体１０に複数の調整板１２を取り付けておき、その調整板１２の脱着でバッファクリアランスＬを調整することが一般に行なわれている。
【０００９】
さらに、特開平４−３９２８３号公報に見られるように、ピット部に据え付ける緩衝器台にジャッキボルトを組付け、そのジャッキボルトを操作することで緩衝器本体の高さ寸法を調整する技術が一般的に知られている。
【特許文献１】特開平４−３９２８３号公報
【発明の開示】
【発明が解決しようとする課題】
【００１０】
しかしながら、緩衝器本体の高さの調整やバッファクリアランスＬの調整のために、ジャッキボルトや調整板を用いる手段では、緩衝装置をピット部に据え付ける際に予めそのジャッキボルトや調整板を用意し、施工現場でそれらをいちいち所要個所に組み付ける面倒で手間のかかる作業が必要で、施工能率が低下してしまう。
【００１１】
この発明はこのような点に着目してなされたもので、その目的とするところは、ジャッキボルトや調整板などのようなバッファクリアランスを調整するための別個の用品を何ら要することなく、容易に能率よく昇降路のピット部に設置することができるエレベータの緩衝装置を提供することにある。
【課題を解決するための手段】
【００１２】
このような目的を達成するために、請求項１の発明は、エレベータの昇降路内で昇降移動する昇降体と、前記昇降路のピット部に設けられる取付台と、前記取付台の上に設置され、前記昇降体が規定のレベルより下がり過ぎたときにその昇降体を受け止めてその衝撃を緩和する緩衝器本体とを具備し、前記取付台が、前記緩衝器本体を上下に変位させるための上下寸法の調整が可能であることを特徴としている。
【００１３】
請求項２の発明は、請求項１に記載の取付台が、ねじの螺合により上下に伸縮可能に組み合わされた上部筒と下部筒とを備え、その上部筒と下部筒との伸縮で上下寸法の調整が可能であることを特徴としている。
【００１４】
請求項３の発明は、請求項１に記載の取付台が、上下に伸縮可能に組み合わされた上部筒と下部筒とを備え、その上部筒と下部筒のうちの一方の筒の周面に上下に並ぶ複数の貫通孔が形成され、他方の筒の周面に支持棒の貫挿が可能な貫通孔が形成され、前記一方の筒の貫通孔と他方の筒の貫通孔とに渡って前記支持棒を貫挿することで一方の筒を他方の筒で支持し、前記支持棒を貫挿する前記一方の筒の貫挿孔として、いずれか１つの高さ位置の貫挿孔を選ぶことで、前記取付台の上下寸法の調整が可能であることを特徴としている。
【００１５】
請求項４の発明は、請求項１に記載の取付台が、筒体と、この筒体内に上下に積み重ねて挿脱可能に収納された複数のブロックとを備え、前記緩衝器本体が前記積み重ねられたブロックで支持され、前記ブロックの数を増減することで、前記取付台の上下寸法の調整が可能であることを特徴としている。
【００１６】
請求項５の発明は、請求項１に記載の取付台が、取付台本体と、この取付台本体の上部に、ねじ棒を介して上下動可能に支持された支持プレートとを備え、前記緩衝器本体が前記支持プレートで支持され、前記ねじ棒を介して支持された前記支持プレートを上下に移動することで、前記取付台の上下寸法の調整が可能であることを特徴としている。
【発明の効果】
【００１７】
この発明の緩衝装置によれば、ジャッキボルトや調整板などのようなバッファクリアランスを調整するための別個の用品を何ら要することなく、容易に能率よく昇降路のピット部に設置することができる。
【発明を実施するための最良の形態】
【００１８】
以下、この発明の実施の形態について図面を参照して説明する。なお、従来の構成と対応する部分には同一の符号を付して重複する説明を省略する。
【００１９】
図１〜図７には第１の実施形態を示してある。図１には緩衝装置の全体の構成を示してあり、この実施形態では緩衝器本体９を支持する取付台５が上下に伸縮可能な構造となっている。すなわち、取付台５は、上部筒１５と下部筒１６とからなる分割構造に構成されている。上部筒１５及び下部筒１６は図２〜図５に示すようにそれぞれ鋼管からなり、上部筒１５の外周面には雄ねじ１７が形成され、下部筒１６の内周面には雌ねじ１８が形成され、その雄ねじ１７と雌ねじ１８とが螺合するように下部筒１６の内部に上部筒１５がねじ込まれている。
【００２０】
上部筒１５の上端部には四角形のプレート２０が溶接され、このプレート２０の四隅部分に取付孔２１が形成されている。また、下部筒１６の下端部には四角形のプレート２２が溶接され、このプレート２２の四隅部分に取付孔２３が形成されている。そして、上部筒１５の外周面の雄ねじ１７には締めナット２４が螺着されている。この締めナット２４には、図６及び図７に示すように、外周縁の複数箇所に指掛け用の切欠部２５が形成されている。
【００２１】
ピット部２に緩衝器本体９を設置する際には、図１に示すように、まず取付台５の下部筒１６のプレート２２を取付座４の上に突き当て、このプレート２２の各取付孔２３から取付座４に渡ってボルト６を挿入し、これらボルト６を締め付けて取付台５を取付座４の上に締結固定する。この際、上部筒１５の外周に螺合されている締めナット２４はその上部寄りの位置に配置させておく。
【００２２】
次に、取付台５の上部筒１５のプレート２０の上に緩衝器本体９を設置し、この緩衝器本体９をボルト７及びナット８を用いてプレート２０に締結固定する。すなわち、緩衝器本体９の下端のベース９ａから取付台５のプレート２０の各取付孔２１にボルト７を挿入するとともに、その各ボルト７の先端部にナット８を螺着し、これらボルト７及びナット８を締め付けることで取付台５の上に緩衝器本体９を取り付ける。
【００２３】
次に、緩衝器本体９の高さの位置つまりバッファクリアランスＬの寸法が、本施工のエレベータの機種や仕様に応じる大きさとなるように、取付台５の高さを調整する。すなわち、取付台５の下部筒１６に対して上部筒１５を回すことで下部筒１６に対して上部筒１５を上下に螺進退移動させ、取付台５を上下に伸縮させる。
【００２４】
この作業により、緩衝器本体９が上下に変位し、したがってこの作業でバッファクリアランスＬの寸法が本施工のエレベータの機種や仕様に適合するように調整する。そして、その調整が終了した後に、締めナット２４を回して下降させ、この締めナット２４を下部筒１６の上端縁に締め付けて圧着させ、この圧着で上部筒１５と下部筒１６との螺合の緩み止めを図って上部筒１５と下部筒１６とを一体化させる。
【００２５】
このようにこの実施形態によれば、取付台５を伸縮させるだけで、別個の調整板やジャッキボルトのような用品を用いることなく、容易に能率よく緩衝器本体９を上下に変位させてバッファクリアランスＬを調整することができる。
【００２６】
なお、上記の手順では、取付台５の上に緩衝器本体９を据え付けた後に、取付台５の高さ寸法を変えてバッファクリアランスＬを調整するようにしたが、予め施工対象のエレベータの仕様寸法などが判明しているときには、取付台５の高さの寸法を例えば搬送元の工場などで予め調整しておくことが可能で、このような場合には施工現場での調整を省いてより能率的に作業を進めることができる。
【００２７】
また、エレベータの運行期間中において、メインロープの伸びでバッファクリアランスが所定寸法より縮小した場合においても、前述と同様の手順で取付台５を縮小させて緩衝器本体９を下方に変位させることにより、バッファクリアランスを所定の寸法に復帰させることができる。
【００２８】
前記実施形態では、上部筒１５の緩み止め手段として、上部筒１５に締めナット２４を設け、この締めナット２４を締め付けることで、下部筒１６に対する上部筒１５の緩み止めを図るようにしたが、図８に変形例として示すように、下部筒１６の内部にスプリング２９を収納し、このスプリング２９の圧縮による弾性力で上部筒１５を上方に加圧し、この加圧力で下部筒１６に対する上部筒１５の緩み止めを図るような構成を採用することも可能である。
【００２９】
図９〜図１１には第２の実施形態を示してある。図９には緩衝装置の全体の構成を示してあり、この実施形態においても、取付台５が上部筒３１と下部筒３２とに分割され、下部筒３２内に上部筒３１が衝動自在に挿入されている。上部筒３１の上端及び下部筒３２の下端にはそれぞれプレート３３，３５が溶接されている。
【００３０】
上部筒３１の周面には、図１０に示すように、その一方の周面側から他方の周面側に通じる貫通孔３８がその上下方向に所定のピッチで並ぶように複数形成されている。また、下部筒３２の上部周面には、図１１に示すように、その一方の周面側から他方の周面側に通じる貫通孔３９が形成されている。
【００３１】
そして下部筒３２に形成された貫通孔３９と、上部筒３１に形成された複数の貫通孔３８のうちの任意の高さ位置の１つ貫通孔３８とに渡って支持シャフト４０が挿脱可能に貫挿され、この支持シャフト４０により上部筒３１が下部筒３２に対して所定の長さ（高さ）だけ突出するように支持されている。なお、支持シャフト４０には、脱落防止のためにその一端部に折曲部を設けるようにしてもよい。
【００３２】
ピット部２に緩衝器本体９を設置する際には、図９に示すように、まず取付台５の下部筒３２のプレート３５を取付座４の上に突き当て、このプレート３５から取付座４に渡って複数のボルト６を挿入し、これらボルト６を締め付けて取付台５を取付座４の上に締結固定する。
【００３３】
次に、取付台５の上部筒３１のプレート３３の上に緩衝器本体９を設置し、この緩衝器本体９の下端のベース９ａを複数のボルト７及びナット８を用いて取付台５のプレート３３に締結して緩衝器本体９を取付台５の上に固定する。
【００３４】
次に、緩衝器本体９のバッファクリアランスＬが本施工のエレベータの機種や仕様に応じる大きさとなるように、取付台５の高さを調整する。すなわち、まず支持シャフト４０を抜き取り、上部筒３１を上下に移動させ、上部筒３１に形成されている複数の貫通孔３８のうちからその高さの位置に合う貫通孔３８を選んでその貫通孔３８を下部筒３２の貫通孔３９に対向させる。そして、上部筒３１の貫通孔３８と下部筒３２の貫通孔３９とに渡って支持シャフト４０を挿入して貫通させ、上部筒３１を支持する。この作業により、取付台５が伸縮して緩衝器本体９が上下に変位し、したがってこの作業でバッファクリアランスＬの寸法が本施工のエレベータの機種や仕様に適合するように調整する。
【００３５】
このようにこの実施形態においても、取付台５を伸縮させるだけで、別個の調整板やジャッキボルトのような用品を用いることなく、容易に能率よく緩衝器本体９を上下に変位させてバッファクリアランスＬを調整することができる。
【００３６】
なお、上記の手順では、取付台５の上に緩衝器本体９を据え付けた後に、取付台５の高さ寸法を変えてバッファクリアランスＬを調整するようにしたが、予め施工対象のエレベータの仕様寸法などが判明しているときには、取付台５の高さの寸法を例えば搬送元の工場などで予め調整しておくことが可能で、このような場合には施工現場での調整を省いてより能率的に作業を進めることができる。
【００３７】
また、エレベータの運行期間中において、メインロープの伸びでバッファクリアランスが所定寸法より縮小した場合においても、前述と同様の手順で取付台５を縮小させて緩衝器本体９を下方に変位させることにより、バッファクリアランスを所定の寸法に復帰させることができる。
【００３８】
なお、前記実施形態では、上部筒３１に上下に所定のピッチで並ぶように複数の貫通孔３８を形成し、下部筒３２の上部に１つの貫通孔３９を形成することで取付台５の高さ寸法の調整を可能にする構成としたが、この逆の構成、つまり上部筒３１に１つの貫通孔を形成し、下部筒３２に上下に所定のピッチで並ぶ複数の貫通孔を形成して取付台５の高さ寸法の調整を可能にする構成とする場合であってもよい。
【００３９】
図１２及び図１３には第３の実施形態を示してある。図１２には緩衝装置の全体の構成を示してあり、この実施形態においても、取付台５が上部筒４５と下部筒４６とに分割され、下部筒４６内に上部筒４５が摺動自在に挿入されている。上部筒４５の上端及び下部筒４６の下端にはそれぞれプレート４７，４９が溶接されている。
【００４０】
下部筒４６の内部には、図１３に示すように、複数のブロック５２が上下に積み重ねて収納され、下部筒４６内に挿入された上部筒４５がその積み重ねられたブロック５２を介して支持されている。
【００４１】
下部筒４６の下部周面の一部には、最下層のブロック５２の挿脱が可能な開口窓５３が形成され、またこの開口窓５３と対向して下部筒４６の下部周面の一部にボルト５４が水平に螺挿され、このボルト５４を螺進させることで、最下層のブロック５２を開口窓５３を通して下部筒４６内から押し出すことができるようになっている。
【００４２】
ピット部２に緩衝器本体９を設置する際には、図１２に示すように、まず取付台５の下部筒４６のプレート４９を取付座４の上に突き当て、このプレート４９から取付座４に渡って複数のボルト６を挿入し、これらボルト６を締め付けて取付台５を取付座４の上に固定する。
【００４３】
次に、取付台５の上部筒４５のプレート４７の上に緩衝器本体９を設置し、この緩衝器本体９の下端のベース９ａを複数のボルト７及びナット８を用いて取付台５のプレート４７に締結して緩衝器本体９を取付台５の上に固定する。
【００４４】
次に、緩衝器本体９のバッファクリアランスＬが本施工のエレベータの機種や仕様に応じる大きさとなるように、取付台５の高さを調整する。すなわち、バッファクリアランスＬが所定の寸法より小さい場合には、図１３に示すボルト５４を螺進させて下部筒４６内の最下層のブロック５２を開口窓５３を通して外部に押し出し、下部筒４６内の積層ブロック数を減らす。また、バッファクリアランスＬが所定の寸法より大きい場合には、下部筒４６内に他のブロック５２を追加して収納し、下部筒４６内の積層ブロック数を増やす。
【００４５】
このように下部筒４６内の積層ブロック数を増減することにより、下部筒４６内のブロック５２で支持された上部筒４５が緩衝器本体９と一体的に上下に変位するから、下部筒４６内のブロック５２の数を選ぶことで緩衝器本体９の高さ位置を調整することができる。
【００４６】
このように、この実施形態においては、下部筒４６内のブロック５２の数を増減することで、緩衝器本体９のバッファクリアランスＬの寸法をエレベータの機種や仕様に合わせることができる。
【００４７】
そして、予め施工対象のエレベータの仕様寸法などが判明しているときには、下部筒４６内のブロック５２の数を選定して取付台５の高さの寸法を例えば搬送元の工場などで予め調整しておくことが可能で、このような場合には施工現場での調整を省いてより能率的に作業を進めることができる。
【００４８】
また、エレベータの運行期間中において、メインロープの伸びでバッファクリアランスが所定寸法より縮小した場合においても、下部筒４６内のブロック５２の数を減らすことで緩衝器本体９を下方に変位させてバッファクリアランスを所定の寸法に復帰させることができる。
【００４９】
図１４には第４の実施形態を示してある。この実施形態においては、取付台５が筒状の取付台本体６０と、この取付台本体６０の上部に組み付けられた昇降機構６１とで構成されている。取付台本体６０の上下端には、それぞれプレート６３，６４が溶接されている。
【００５０】
取付台本体６０の上端のプレート６３の四隅部分にはそれぞれボルト６６を介してねじ棒６７が固定されている。これらねじ棒６７はプレート６３の上方に起立し、これらねじ棒６７の上端部に昇降プレート６８が水平に設けられ、これらねじ棒６７と昇降プレート６８とで昇降機構６１が構成されている。
【００５１】
昇降プレート６８は四角形をなし、その四隅部分に前記ねじ棒６７の上部が貫挿されている。そしてこれらねじ棒６７には、昇降プレート６８の下側に位置してそれぞれナット７１が螺着され、これらナット７１を介して昇降プレート６８が水平に支持され、これらナット７１を回して上下に螺進させることで、昇降プレート６８を上下に水平移動させることができるようになっている。
【００５２】
ピット部２に緩衝器本体９を設置する際には、まず取付台５における取付台本体６０の下端のプレート６４を取付座４の上に突き当て、このプレート６４から取付座４に渡って複数のボルト６を挿入し、これらボルト６を締め付けて取付台５を取付座４の上に固定する。
【００５３】
次に、昇降機構６１における昇降プレート６８の上に緩衝器本体９を載置するとともに、その昇降プレート６８から突出する各ねじ棒６７の上部を緩衝器本体９のベース９ａに貫挿し、かつナット６９を螺着し、これらナット６９を締め付けることで緩衝器本体９を昇降プレート６８の上に固定する。
【００５４】
そして、緩衝器本体９のバッファクリアランスＬを本施工のエレベータの機種や仕様に応じる大きさとなるように、昇降プレート６８の下側の各ナット７１を回して昇降プレート６８をねじ棒６７に沿って上下に移動させて緩衝器本体９の高さ位置を調整する。
【００５５】
このように、この実施形態においては、各ナット７１を回して昇降プレート６８を上下に移動させることで緩衝器本体９のバッファクリアランスＬの寸法をエレベータの機種や仕様に合わせることができる。
【００５６】
そして、予め施工対象のエレベータの仕様寸法などが判明しているときには、ナット７１を操作して昇降プレート６８の高さの寸法を例えば搬送元の工場などで予め調整しておくことが可能で、このような場合には施工現場での調整を省いてより能率的に作業を進めることができる。
【００５７】
また、エレベータの運行期間中において、メインロープの伸びでバッファクリアランスが所定寸法より縮小した場合においても、ナット７１を操作して昇降プレート６８を下降させ、緩衝器本体９を下方に変位させことでバッファクリアランスを所定の寸法に復帰させることができる。
【図面の簡単な説明】
【００５８】
【図１】この発明の第１の実施形態に係る緩衝装置の全体の構成を示す正面図。
【図２】その緩衝装置の上部筒の正面図。
【図３】その緩衝装置の上部筒の平面図。
【図４】その緩衝装置の下部筒の正面図。
【図５】その緩衝装置の下部筒の平面図。
【図６】その緩衝装置の締めナットの平面図。
【図７】その緩衝装置の締めナットの正面図。
【図８】その緩衝装置の上部筒と下部筒との緩み止め機構の変形例を示す断面図。
【図９】この発明の第２の実施形態に係る緩衝装置の全体の構成を示す正面図。
【図１０】その緩衝装置の上部筒の正面図。
【図１１】その緩衝装置の下部筒の正面図。
【図１２】この発明の第３の実施形態に係る緩衝装置の全体の構成を示す正面図。
【図１３】その緩衝装置の取付台の側面図。
【図１４】この発明の第４の実施形態に係る緩衝装置の全体の構成を示す正面図。
【図１５】従来の緩衝装置の全体の構成を示す正面図。
【符号の説明】
【００５９】
１…昇降路、２…ピット部、３…緩衝器台、４…取付座、５…取付台、６…ボルト、７…ボルト、８…ナット、９…緩衝器本体、９ａ…ベース、１０…昇降体、１１…ガイドレール、１５…上部筒、１６…下部筒、２０…プレート、２１…取付孔、２２…プレート、２３…取付孔、２４…ナット、２５…切欠部、２９…スプリング、３１…上部筒、３２…下部筒、３３…プレート、３５…プレート、３８…貫通孔、３９…貫通孔、４０…支持シャフト、４５…上部筒、４６…下部筒、４７…プレート、４９…プレート、５２…ブロック、５３…開口窓、５４…ボルト、６０…取付台本体、６１…昇降機構、６３…プレート、６４…プレート、６６…ボルト、６７…ねじ棒、６８…昇降プレート、６９…ナット、７１…ナット。
【図１】
2010013279.tif 000003
【図２】
2010013279.tif 000004
【図３】
2010013279.tif 000005
【図４】
2010013279.tif 000006
【図５】
2010013279.tif 000007
【図６】
2010013279.tif 000008
【図７】
2010013279.tif 000009
【図８】
2010013279.tif 000010
【図９】
2010013279.tif 000011
【図１０】
2010013279.tif 000012
【図１１】
2010013279.tif 000013
【図１２】
2010013279.tif 000014
【図１３】
2010013279.tif 000015
【図１４】
2010013279.tif 000016
【図１５】
2010013279.tif 000017